(57)【特許請求の範囲】
【請求項１】
ユーザにより操作され、デジタルビデオディスクに映像データ及び音声データとして記録されている映像及び音声の再生を指示するための操作手段と、前記デジタルビデオディスクに所定フォーマットで記録されている映像データ及び音声データをアドレスデータと共に読取る読取手段と、前記読取手段によって読取った所定フォーマットの映像データ及び音声データを復号し、その復号信号を映像を再生表示する表示手段及び音声を再生出力する音声出力手段に出力する復号手段と、前記デジタルビデオディスクに記録されている所定の映像データ及び音声データについては映像及び音声の再生を禁止するパレンタル処理制御を行う制御手段とを備えた映像・音声再生装置において、
デジタルビデオディスクに記録されているディスクを識別するための基本ボリューム記述子を記憶する不揮発性メモリと、
前記操作手段からの所定の操作により前記デジタルビデオディスク上の任意の映像データ及び音声データを前記パレンタル処理の対象として設定し、設定されたパレンタル処理を行うデータ領域の開始位置のＶＯＢＵのアドレスデータ及び終了位置のＶＯＢＵのアドレスデータを開始リジューム情報及び終了リジューム情報としてディスク毎に前記不揮発性メモリに記憶させるパレンタルデータ設定手段と、
前記操作手段からの所定の操作により前記パレンタル処理の実行の許可／非許可を設定するパレンタル実行設定手段とを備え、
前記制御手段は、
前記デジタルビデオディスクの映像及び音声の再生時に、前記不揮発性メモリに記憶されている基本ボリューム記述子をチェックすることにより、ディスクを識別し、パレンタル処理の実行の許可／非許可の設定情報、及び識別されたディスクの開始リジューム情報及び終了リジューム情報をチェックすることにより、パレンタル処理の実行許可状態においては、開始リジューム情報及び終了リジューム情報に基づいてパレンタル処理の開始位置からパレンタル処理の終了位置へスキップし、又は、その間の映像及び音声の再生出力を禁止することによりパレンタル処理を実行し、パレンタル処理の実行非許可状態においてはパレンタル処理を実行しないことを特徴とするユーザパレンタル機能を備えた映像・音声再生装置。
【請求項２】
ユーザにより操作され、記録媒体に映像データ及び音声データとして記録されている映像及び音声の再生を指示するための操作手段と、前記記録媒体に所定フォーマットで記録されている映像データ及び音声データをアドレスデータと共に読取る読取手段と、前記読取手段によって読取った所定フォーマットの映像データ及び音声データを復号し、その復号信号を映像を再生表示する表示手段及び音声を再生出力する音声出力手段に出力する復号手段と、前記記録媒体から所定の映像データ及び音声データについては映像及び音声の再生を禁止するパレンタル処理制御を行う制御手段とを備えた映像・音声再生装置において、
前記記録媒体に記録されている記録媒体を識別するための識別データを記憶する記憶手段と、
前記操作手段からの所定の操作により前記記録媒体上の任意の映像データ及び音声データを前記パレンタル処理の対象として設定し、設定されたパレンタル処理を行うデータ領域の開始位置のＶＯＢＵのアドレスデータ及び終了位置のＶＯＢＵのアドレスデータを開始リジューム情報及び終了リジューム情報として記録媒体毎に前記記憶手段に記憶させるパレンタルデータ設定手段とを備え、
前記制御手段は、
前記記録媒体の映像及び音声の再生時に、前記記憶手段に記憶されている該記録媒体の識別データ、及び識別された記録媒体の開始リジューム情報及び終了リジューム情報をチェックすることにより、パレンタル処理を実行することを特徴とするユーザパレンタル機能を備えた映像・音声再生装置。
【請求項３】
前記操作手段からの所定の操作により前記パレンタル処理の実行の許可／非許可状態を設定するパレンタル実行設定手段をさらに備えたことを特徴とする請求項２に記載のユーザパレンタル機能を備えた映像・音声再生装置。
【請求項４】
前記記録媒体は、デジタルビデオディスクであることを特徴とする請求項２に記載のユーザパレンタル機能を備えた映像・音声再生装置。
【請求項５】
前記記憶手段は、不揮発性メモリであることを特徴とする請求項２に記載のユーザパレンタル機能を備えた映像・音声再生装置。
【請求項６】
前記制御手段は、映像データ及び音声データの再生位置がパレンタル処理の開始位置に到達したとき、パレンタル処理の終了位置へスキップしてパレンタル処理を実行することを特徴とする請求項２乃至請求項５のいずれかに記載のユーザパレンタル機能を備えた映像・音声再生装置。
【請求項７】
前記表示手段に表示される再生映像上に所定の画像を重ねて表示させるオンスクリーンディスプレイ出力手段をさらに備え、
前記制御手段は、映像データ及び音声データの再生位置がパレンタル処理の開始位置に到達したとき、パレンタル処理の終了位置へ到達するまでの間、前記表示手段に表示される再生映像上に前記オンスクリーンディスプレイ出力手段による禁止画像を重ねて表示することによりパレンタル処理を実行することを特徴とする請求項２乃至請求項５のいずれかに記載のユーザパレンタル機能を備えた映像・音声再生装置。
【発明の詳細な説明】
【０００１】
【発明の属する技術分野】
本発明は、例えばデジタルビデオディスク等の記録媒体に記録されている映像及び音声を再生する映像・音声再生装置に係り、特に、ユーザ側でのパレンタル管理が可能な映像・音声再生装置に関する。
【０００２】
【従来の技術】
従来、映像及び音声を記録したデジタルビデオディスクからそれらのデータを読取って映像及び音声を再生する映像・音声再生装置において、許可のない状態では、ある所定の映像や音声については再生しない特殊処理をするものがある。この特殊処理はパレンタル処理と呼ばれ、暴力的シーンや乱暴な言葉遣いのシーン等において、例えば子供等にそれらのシーンを視聴させないように、その映像を表示させない処理や音声を切る処理を行うものである。
【０００３】
この種の従来のパレンタル処理は、以下のように行われていた。まず、映像データ及び音声データを記録したディスクに、暴力的シーンや乱暴な言葉遣いのシーン等の映像データ及び音声データに対して、ディスクの製造時等に予めパレンタル領域であることを示すパレンタルデータを付加して記録しておく。そして、映像・音声再生装置では、ディスクから読取って再生しようとする映像データ及び音声データがパレンタルデータの付加されたものであると、再生許可のない状態ではそれらのデータについては再生しない処理を行うというものであった。
【０００４】
一方、追記型の記録媒体に情報を記録する情報記録装置において、記録媒体上に誤って記録された部分が再生されるのを禁止するために、それら再生を禁止するためのデータを記録媒体上に記録する装置が知られている（例えば、特開平７−９３９５１号公報参照）。また、予め情報内容に応じてパレンタルレベル領域が付与されている記録媒体を再生するディスク再生装置において、任意のパレンタルレベルの情報のみをスキップ再生し、これにより、パレンタル領域やパレンタルレベルの内容を確認することができるようにした装置が知られている（例えば、特開平１１−１４４４４１号公報参照）。また、記録媒体に記録されている音楽データ等を再生する再生装置において、前回再生を停止したときの停止位置のアドレスを記憶しておき、再生を再開するときには記憶している停止位置のアドレスから再生を開始させることにより、再生中に曲の途中で再生を停止させても、その続きから再び再生させるリジューム機能を備えた装置が知られている（例えば、特開２０００−３３１４６６号公報参照）。
【０００５】
【発明が解決しようとする課題】
ところが、上述した従来の映像・音声再生装置では、パレンタル管理に関してはディスクにパレンタルデータが設定されている否かに依存しており、パレンタルデータが設定されているディスクに対してしかパレンタル処理を行うことができなかった。従って、パレンタルデータが設定されていないディスクの場合には、暴力的シーンや乱暴な言葉遣いのシーン等の子供等にとって有害なシーンがあっても、それらのシーンは再生されてしまうので、子供等がそれら有害なシーンを視聴してしまうという問題があった。
【０００６】
また、上述した特開平７−９３９５１号公報、特開平１１−１４４４４１号公報、及び特開２０００−３３１４６６号公報に開示の内容を適用したとしても、上述の課題を解決することはできない。
【０００７】
本発明は、上記課題を解決するためになされたものであり、記録媒体にパレンタルデータが設けられていない場合でも、ユーザ側で、子供等に有害と思われるシーンを視聴させないようにパレンタル管理を行うことができる映像・音声再生装置を提供することを目的とする。
【０００８】
【課題を解決するための手段】
上記目的を達成するために請求項１の発明は、ユーザにより操作され、デジタルビデオディスクに映像データ及び音声データとして記録されている映像及び音声の再生を指示するための操作手段と、前記デジタルビデオディスクに所定フォーマットで記録されている映像データ及び音声データをアドレスデータと共に読取る読取手段と、前記読取手段によって読取った所定フォーマットの映像データ及び音声データを復号し、その復号信号を映像を再生表示する表示手段及び音声を再生出力する音声出力手段に出力する復号手段と、前記デジタルビデオディスクに記録されている所定の映像データ及び音声データについては映像及び音声の再生を禁止するパレンタル処理制御を行う制御手段とを備えた映像・音声再生装置において、デジタルビデオディスクに記録されているディスクを識別するための基本ボリューム記述子を記憶する不揮発性メモリと、前記操作手段からの所定の操作により前記デジタルビデオディスク上の任意の映像データ及び音声データを前記パレンタル処理の対象として設定し、設定されたパレンタル処理を行うデータ領域の開始位置のＶＯＢＵのアドレスデータ及び終了位置のＶＯＢＵのアドレスデータを開始リジューム情報及び終了リジューム情報としてディスク毎に前記不揮発性メモリに記憶させるパレンタルデータ設定手段と、前記操作手段からの所定の操作により前記パレンタル処理の実行の許可／非許可を設定するパレンタル実行設定手段とを備え、前記制御手段は、前記デジタルビデオディスクの映像及び音声の再生時に、前記不揮発性メモリに記憶されている基本ボリューム記述子をチェックすることにより、ディスクを識別し、パレンタル処理の実行の許可／非許可の設定情報、及び識別されたディスクの開始リジューム情報及び終了リジューム情報をチェックすることにより、パレンタル処理の実行許可状態においては、開始リジューム情報及び終了リジューム情報に基づいてパレンタル処理の開始位置からパレンタル処理の終了位置へスキップし、又は、その間の映像及び音声の再生出力を禁止することによりパレンタル処理を実行し、パレンタル処理の実行非許可状態においてはパレンタル処理を実行しないようにした。
【０００９】
この構成においては、ユーザによる所定の操作により、ディスクの再生時に、デジタルビデオディスクに記録されている映像データ及び音声データのＶＯＢＵのアドレスがパレンタル処理の開始位置及び終了位置を示すリジューム情報として、ディスク毎に、その基本ボリューム記述子に対応して不揮発性メモリに記憶され、これにより、パレンタルデータが設定される。また、ユーザによる所定の操作によりパレンタル処理の実行の許可／非許可が設定される。こうして、ディスク毎にパレンタル処理のためのリジューム情報が不揮発性メモリに記憶された状態でのデジタルビデオディスクの再生時には、パレンタル処理の実行許可状態においては、パレンタル処理の対象となる領域をスキップし、又は、その間の映像及び音声の再生出力を禁止することによりパレンタル処理が行われ、パレンタル処理の実行非許可状態においては全ての領域について通常の再生が行われる。このように、ディスク毎のリジューム情報が再生装置側に記憶されていることから、再生装置の電源を落としても、また、ディスクを交換しても、ユーザが設定したパレンタル情報を残すことができ、従って、ユーザ側でパレンタル管理を行うことができる。
【００１０】
また、請求項２の発明は、ユーザにより操作され、記録媒体に映像データ及び音声データとして記録されている映像及び音声の再生を指示するための操作手段と、前記記録媒体に所定フォーマットで記録されている映像データ及び音声データをアドレスデータと共に読取る読取手段と、前記読取手段によって読取った所定フォーマットの映像データ及び音声データを復号し、その復号信号を映像を再生表示する表示手段及び音声を再生出力する音声出力手段に出力する復号手段と、前記記録媒体から所定の映像データ及び音声データについては映像及び音声の再生を禁止するパレンタル処理制御を行う制御手段とを備えた映像・音声再生装置において、前記記録媒体に記録されている記録媒体を識別するための識別データを記憶する記憶手段と、前記操作手段からの所定の操作により前記記録媒体上の任意の映像データ及び音声データを前記パレンタル処理の対象として設定し、設定されたパレンタル処理を行うデータ領域の開始位置のＶＯＢＵのアドレスデータ及び終了位置のＶＯＢＵのアドレスデータを開始リジューム情報及び終了リジューム情報として記録媒体毎に前記記憶手段に記憶させるパレンタルデータ設定手段とを備え、前記制御手段は、前記記録媒体の映像及び音声の再生時に、前記記憶手段に記憶されている該記録媒体の識別データ、及び識別された記録媒体の開始リジューム情報及び終了リジューム情報をチェックすることにより、パレンタル処理を実行するようにした。
【００１１】
この構成においては、ユーザによる所定の操作により、記録媒体の再生時に該記録媒体に記録されている映像データ及び音声データのＶＯＢＵのアドレスがパレンタル処理の開始位置及び終了位置を示すリジューム情報として、記憶媒体を識別するための識別データに対応して記憶手段に記憶され、これにより、パレンタルデータが設定される。そして、記録媒体の再生時には、パレンタル処理の対象となる領域についてはそのデータを再生しないパレンタル処理が行われる。こうして、記憶媒体毎のリジューム情報が再生装置側に記憶されることから、上述と同様に、ユーザ側でパレンタル管理を行うことができる。
【００１２】
また、請求項３の発明は、請求項２に記載のユーザパレンタル機能を備えた映像・音声再生装置において、操作手段からの所定の操作によりパレンタル処理の実行の許可／非許可状態を設定するパレンタル実行設定手段をさらに備えた。この構成においては、ユーザによる所定の操作によりパレンタル処理の実行の許可／非許可が設定され、ユーザ側で、パレンタル処理を実行させたり実行させなかったりといったパレンタル管理を行うことができる。
【００１３】
また、請求項４の発明は、請求項２に記載のユーザパレンタル機能を備えた映像・音声再生装置において、記録媒体をデジタルビデオディスクとした。この構成においては、複数のパレンタルレベルを付与することが容易となる。
【００１４】
また、請求項５の発明は、請求項２に記載のユーザパレンタル機能を備えた映像・音声再生装置において、記憶手段を不揮発性メモリとした。この構成においては、一度パレンタル処理の設定を行うと、その設定は電源を切った後でも有効なまま維持される。
【００１５】
また、請求項６の発明は、請求項２乃至請求項５のいずれかに記載のユーザパレンタル機能を備えた映像・音声再生装置において、制御手段は、映像データ及び音声データの再生位置がパレンタル処理の開始位置に到達したとき、パレンタル処理の終了位置へスキップしてパレンタル処理を実行するようにした。この構成においては、デジタルビデオディスクの再生時には、パレンタル処理の対象となる領域をスキップすることによりパレンタル処理が行われ、パレンタル処理の終了位置から再び映像データ及び音声データが再生される。
【００１６】
また、請求項７の発明は、請求項２乃至請求項５のいずれかに記載のユーザパレンタル機能を備えた映像・音声再生装置において、表示手段に表示される再生映像上に所定の画像を重ねて表示させるオンスクリーンディスプレイ出力手段をさらに備え、制御手段は、映像データ及び音声データの再生位置がパレンタル処理の開始位置に到達したとき、パレンタル処理の終了位置へ到達するまでの間、表示手段に表示される再生映像上に前記オンスクリーンディスプレイ出力手段による禁止画像を重ねて表示することによりパレンタル処理を実行するようにした。この構成においては、デジタルビデオディスクの再生時には、パレンタル処理の対象となる領域の再生映像上に禁止画像が重ねて表示されて、該再生映像が隠されることによりパレンタル処理が行われる。
【００１７】
【発明の実施の形態】
以下、本発明を具体化した実施形態について図面を参照して説明する。まず、本実施形態による映像・音声再生装置のブロック構成を図１に示す。映像・音声再生装置１は、デジタルビデオディスク（記録媒体）６に記録されている映像データ及び音声データを読取り、それらの映像及び音声を再生する装置である。映像・音声再生装置１には、映像・音声再生装置１がデジタルビデオディスク６から読取った映像データ及び音声データにより、映像を再生表示するためのディスプレイ（表示手段）１１と、音声を再生出力するためのスピーカ（音声出力手段）１２が接続されている。
【００１８】
映像・音声再生装置１は、リモコン（操作手段）２と、蛍光表示管（ＦＬ管）３と、受光部４と、ドライバ（読取手段）５と、デコーダ（復号手段）７と、ＯＳＤ回路（オンスクリーン出力手段）８と、Ｅ２ＰＲＯＭ（不揮発性メモリ、記憶手段）９と、ＣＰＵ（パレンタルデータ設定手段、パレンタル実行設定手段、制御手段）１０とから構成されている。
【００１９】
リモコン２は、映像・音声再生装置１に種々の動作をさせるために、ユーザにより操作されるものであり、図２に示すような構成となっている。リモコン２には、パレンタル処理を行うパレンタル領域を設定するときに操作するパレンタル設定ボタン２１と、パレンタル処理の実行を許可状態及び非許可状態に設定するときに操作するパレンタル許可／非許可ボタン２２と、パスワードを入力するために操作するテンキーボタン２３が設けられている。また、デジタルビデオディスク６を再生するときに操作する再生ボタン２４、早送りするときに操作する早送りボタン２５、逆戻しするときに操作する逆戻しボタン２６、映像・音声再生装置１の動作を停止させるときに操作する停止ボタン２７、及び映像・音声再生装置１の電源をオン、オフするときに操作する電源ボタン２８が設けられている。そして、このリモコン２の先端部には赤外線信号を送信する信号送信部２０が設けられており、上記各ボタンを操作すると、それらの操作に対応する赤外線信号が信号送信部２０から送信されるようになっている。
【００２０】
蛍光表示管３は、装置１のフロントパネルに設けられ、リモコン２により操作された内容や、デジタルビデオディスク６の動作状況等の種々の情報を表示する。受光部４は、リモコン２からの赤外線信号を受信し、その信号をＣＰＵ１０へ出力する。この受光部４は、蛍光表示管３と共に不図示フロントパネルに設けられている。
【００２１】
ドライバ５は、デジタルビデオディスク６に記録されているデータを読取る。デジタルビデオディスク６には、映像データ及び音声データが所定のフォーマットで記録されている。これらの映像データ及び音声データは、ＶＯＢＵ（Video Object Unit）と呼ばれる単位セル毎にアドレスデータと共に記録されている。１つのＶＯＢＵ内に、約１秒程度の画像データと音声データが記録されている。また、デジタルビデオディスク６には、デジタルビデオディスク６を識別するためのISO9660規格に基づく基本ボリューム記述子がデータとして所定の記録エリアの記録されている。ドライバ５は、デジタルビデオディスク６を回転駆動すると共に、デジタルビデオディスク６上に照射した光の反射光を受光してデータの読取りを行う光ヘッド（不図示）をデジタルビデオディスク上で駆動するようになっていて、これにより、デジタルビデオディスク６の所定領域に記録されている基本ボリューム記述子データを読取り、また、各ＶＯＢＵのアドレスデータと共にそのＶＯＢＵ内の映像データ及び音声データを読取る。
【００２２】
デコーダ７は、ドライバ５によってデジタルビデオディスク６から読取った所定フォーマットの映像データ及び音声データを復号し、その復号信号をディスプレイ１１及びスピーカ１２に出力する。ＯＳＤ回路８は、デコーダ７から出力される信号に所定のオンスクリーン表示データを重畳する。これにより、ディスプレイ１１には、デジタルビデオディスク６から再生される映像にオンスクリーン表示データによる画像が重ねられた状態で表示される。このＯＳＤ回路８は、例えば、デジタルビデオディスク６の再生開始時において「再生」という文字を再生画像上に表示させたり、逆戻し操作時において「逆戻し中」という文字を逆戻し画像上に表示をさせるために設けられている。
【００２３】
Ｅ２ＰＲＯＭ９は、パレンタル領域の開始地点のＶＯＢＵのアドレスデータ及び終了地点のＶＯＢＵのアドレスデータをそれぞれ開始リジューム情報及び終了リジューム情報として、そのデジタルビデオディスク６の基本ボリューム記述子データ及びパレンタル処理の実行の許可／非許可データと共に記憶する。すなわち、Ｅ２ＰＲＯＭ９は、デジタルビデオディスク６毎に、各デジタルビデオディスク６に設定されたパレンタル領域と、パレンタル処理を実行するか否かの許可／非許可データを記憶する。また、Ｅ２ＰＲＯＭ９は、パレンタル領域の設定時やパレンタル処理の実行の許可／非許可の設定時に使用するパスワードも記憶する。
【００２４】
ＣＰＵ１０は、リモコン２の操作によりパレンタル領域の設定操作が行われたとき、ドライバ５に、デジタルビデオディスク６の基本ボリューム記述子データ及び設定操作されたパレンタル領域の開始地点のＶＯＢＵのアドレスデータ及び終了地点のＶＯＢＵのアドレスデータを読取らせる。そして、ＣＰＵ１０は、ドライバ５に読取らせた基本ボリューム記述子データ、パレンタル領域の開始地点のＶＯＢＵのアドレスデータ（開始リジューム情報）、及び終了地点のＶＯＢＵのアドレスデータ（終了リジューム情報）をＥ２ＰＲＯＭ９に記憶させる。
【００２５】
また、ＣＰＵ１０は、リモコン２の操作によりパレンタル処理の実行の許可／非許可の設定操作が行われたとき、ドライバ５に、デジタルビデオディスク６の基本ボリューム記述子データを読取らせる。そして、ＣＰＵ１０は、その基本ボリューム記述子データにおける許可／非許可データをＥ２ＰＲＯＭ９からチェックし、その基本ボリューム記述子データにおける許可／非許可データを新しく設定された許可／非許可データに書換える。
【００２６】
また、ＣＰＵ１０は、リモコン２の操作によりパデジタルビデオディスク６からの映像及び音声の再生操作が行われたとき、ドライバ５に、デジタルビデオディスク６の基本ボリューム記述子データを読取らせる。そして、ＣＰＵ１０は、その基本ボリューム記述子データにおけるパレンタル処理の実行の許可／非許可データ及びパレンタル領域のリジューム情報をＥ２ＰＲＯＭ９からチェックする。そして、パレンタル処理の実行許可状態においては、Ｅ２ＰＲＯＭ９に記憶されているリジューム情報に基づいて、パレンタル領域については映像及び音声を再生させないパレンタル処理制御を行い、パレンタル処理の実行非許可状態においては、パレンタル処理制御は行なわない。
【００２７】
このパレンタル処理は、図３に示すように行われる。リモコン２の操作によりＶＯＢＵ３からＶＯＢＵ６に渡るセルがパレンタル領域として設定されていたとする。このとき、Ｅ２ＰＲＯＭ９には、ＶＯＢＵ３のアドレスデータが開始リジューム情報として記憶され、ＶＯＢＵ６のアドレスデータが終了リジューム情報として記憶されている。１つのＶＯＢＵ内には、約１秒程度の画像データとアドレスデータが記録されており、再生が進むに連れてディスプレイ１１に表示される映像が変化してゆく。そして、ＶＯＢＵ２の再生が終了すると、ＶＯＢＵ３のアドレスデータが読取られる。ＣＰＵ１０は、ドライバ５によりＶＯＢＵ３のアドレスデータが読取られると、ドライバ５に対してＶＯＢＵ３からＶＯＢＵ６に渡る領域の映像データ及び音声データを読み飛ばし（スキップし）、ＶＯＢＵ７のデータから読取りを再開するように制御する。このとき、再生されるシーンは、一瞬途切れた後、違ったシーンとなる。
【００２８】
次に、映像・音声再生装置１のパレンタル領域の設定操作の流れについて、図４のフローチャートを参照して説明する。まず、ユーザは、リモコン２を使って、リモコン２のパレンタル設定ボタン２１を押す（＃３１）。すると、映像・音声再生装置１は、セットされているデジタルビデオディスク６の基本ボリューム記述子をドライバ５によって読取り、Ｅ２ＰＲＯＭ９に記録する（＃３２）。
【００２９】
そして、ユーザは、パレンタル処理の開始地点を設定する（＃３３）。この設定は、例えば、ユーザがデジタルビデオディスク６の再生映像を見ながら、ユーザがパレンタル処理を開始させたい地点でパレンタル設定ボタン２１を押すことにより行われる。映像・音声再生装置１は、その地点のアドレスをドライバ５によって読取り、開始リジューム情報としてＥ２ＰＲＯＭ９に記録する（＃３４）。次に、ユーザは、パレンタル処理の終了地点を設定する（＃３５）。この設定は、例えば、ユーザがデジタルビデオディスク６の再生映像を見ながら、ユーザがパレンタル処理を終了させたい地点でパレンタル設定ボタン２１を押すことにより行われる。映像・音声再生装置１は、その地点のアドレスをドライバ５によって読取り、終了リジューム情報としてＥ２ＰＲＯＭ９に記録する（＃３６）。
【００３０】
その後、ユーザはリモコン２のテンキーボタン２３を操作してパスワードを入力し（＃３７）、そのパスワードが所定の操作により予め設定されているパスワードと合致すれば（＃３８でＹＥＳ）、映像・音声再生装置１は、＃３３及び＃３５で設定されたパレンタル処理の開始地点と終了地点を有効にして（＃３９）、パレンタル領域の設定を終了する。一方、パスワードが合致しなければ（＃３８でＮＯ）、映像・音声再生装置１は、＃３３及び＃３５で設定されたパレンタル処理の開始地点と終了地点を無効にして（＃４０）、パレンタル領域の設定を終了する。こうして、ディスク毎のリジューム情報が装置本体１側のＥ２ＰＲＯＭ９に記憶されるので、その後に装置１の電源を落としても、また、ディスク６を交換しても、設定したパレンタル情報は保存される。
【００３１】
次に、映像・音声再生装置１のパレンタル処理の実行の許可／非許可の設定操作の流れについて、図５のフローチャートを参照して説明する。まず、ユーザは、リモコン２を使って、リモコン２のパレンタル許可／非許可ボタン２２を押す（＃４１）。すると、映像・音声再生装置１は、セットされているデジタルビデオディスク６の基本ボリューム記述子をドライバ５によって読取り、Ｅ２ＰＲＯＭ９に記憶されている基本ボリューム記述子をチェックする（＃４２）。
【００３２】
その後、ユーザはリモコン２のテンキーボタン２３を操作してパスワードを入力し（＃４３）、そのパスワードが所定の操作により予め設定されているパスワードと合致すれば（＃４４でＹＥＳ）、映像・音声再生装置１は、パレンタル処理の実行の許可／非許可の変更を可能とする（＃４５）。そこで、ユーザが、リモコン２のパレンタル許可／非許可ボタン２２を押すと（＃４７）、映像・音声再生装置１は、基本ボリューム記述子に対応付けて既にＥ２ＰＲＯＭ９に記憶されている状態が許可状態であれば非許可状態へ変更し、既に設定されている状態が非許可状態であれば許可状態に変更して（＃４８）、パレンタル処理の実行の許可／非許可の設定を終了する。変更された許可／非許可状態は、基本ボリューム記述子に対応付けてＥ２ＰＲＯＭ９に書換え記憶される。＃４４においてパスワードが合致しなければ、映像・音声再生装置１は、パレンタル処理の実行の許可／非許可の変更を禁止して（＃４６）、パレンタル処理の実行の許可／非許可の設定を終了する。
【００３３】
次に、映像・音声再生装置１のパレンタル処理の流れについて、図６のフローチャートを参照して説明する。まず、ユーザは、リモコン２を使って、リモコン２の再生ボタン２４を押す（＃５１）。すると、映像・音声再生装置１は、セットされているデジタルビデオディスク６の基本ボリューム記述子をドライバ５によって読取り、Ｅ２ＰＲＯＭ９に記憶されている基本ボリューム記述子をチェックする（＃５２）。そして、映像・音声再生装置１は、その基本ボリューム記述子に対応付けて既にＥ２ＰＲＯＭ９に記憶されているリジューム情報に基づいて、セットされているデジタルビデオディスク６にパレンタル領域が設定されているか否かを判断する（＃５３）。パレンタル領域が設定されていれば（＃５３でＹＥＳ）、次に、パレンタル処理の実行について許可状態であるか非許可状態であるかを判断する（＃５４）。
【００３４】
そして、パレンタル処理の実行について許可状態であれば（＃５４でＹＥＳ）、映像・音声再生装置１は、パレンタル領域が設定されていない領域については通常の再生処理を行い（＃５５）、再生セルのアドレスが開始リジューム情報としてＥ２ＰＲＯＭ９に記憶されているアドレスと合致すれば（＃５６でＹＥＳ）、終了リジューム情報としてＥ２ＰＲＯＭ９に記憶されているアドレスのセルへジャンプ（その間のセルについては再生出力を禁止する）し（＃５７）、その次のセルから通常の再生処理を行う（＃５８）。一方、＃５３においてパレンタル領域が設定されていない場合、及び＃５４において非許可状態の場合には、映像・音声再生装置１は、全ての領域について通常の再生処理を行う（＃５９）。
【００３５】
次に、別の実施形態による映像・音声再生装置１のパレンタル処理の流れについて、図７のフローチャートを参照して説明する。本実施形態においては、映像及び音声の再生地点がパレンタル領域の開始地点に到達したとき、パレンタル領域の終了地点へ到達するまでの間、再生映像上にオンスクリーンディスプレイによる禁止画像を重ねて表示して再生映像を隠すことにより、パレンタル処理を実行するように構成している。本実施形態における他の構成については、上記の実施形態における構成と同様であり、その説明は省略する。
【００３６】
すなわち、本実施形態による映像・音声再生装置１では、Ｅ２ＰＲＯＭ９は、禁止画像を表示するための禁止画像表示データを記憶している。そして、ＣＰＵ１０は、パレンタル処理の開始地点のアドレスデータがドライバ５により読取られると、禁止画像表示データをＥ２ＰＲＯＭ９から読み出してＯＳＤ回路８に出力し、デコーダ７から出力される信号に禁止画像表示データを重畳するように制御する。また、ＣＰＵ１０は、パレンタル処理の終了地点のアドレスデータがドライバ５により読取られると、禁止画像表示データのＯＳＤ回路８への出力を停止し、デコーダ７から出力される信号がそのままディスプレイ１１に出力されるように制御する。
【００３７】
次に、本実施形態による映像・音声再生装置１のパレンタル処理の流れについて、図７のフローチャートを参照して説明する。まず、ユーザは、リモコン２を使って、リモコン２の再生ボタン２４を押す（＃６１）。すると、映像・音声再生装置１は、セットされているデジタルビデオディスク６の基本ボリューム記述子をドライバ５によって読取り、Ｅ２ＰＲＯＭ９に記憶されている基本ボリューム記述子をチェックする（＃６２）。そして、映像・音声再生装置１は、その基本ボリューム記述子に対応付けて既にＥ２ＰＲＯＭ９に記憶されているリジューム情報に基づいて、セットされているデジタルビデオディスク６にパレンタル領域が設定されているか否かを判断する（＃６３）。パレンタル領域が設定されていれば（＃６３でＹＥＳ）、次に、パレンタル処理の実行について許可状態であるか非許可状態であるかを判断する（＃６４）。以上の流れは、上記の実施形態と同様である。
【００３８】
そして、パレンタル処理の実行について許可状態であれば（＃６４でＹＥＳ）、映像・音声再生装置１は、パレンタル領域が設定されていない領域については通常の再生処理を行う（＃６５）。そこで、再生セルのアドレスが開始リジューム情報としてＥ２ＰＲＯＭ９に記憶されているアドレスと合致すれば（＃６６でＹＥＳ）、再生される映像上にオンスクリーンディスプレイ表示による禁止画像を重ねて表示することにより、再生映像を隠してパレンタル処理を行う（＃６７）。このとき、禁止画像の下では通常再生が行われている（＃６８）。その後、再生セルのアドレスが終了リジューム情報としてＥ２ＰＲＯＭ９に記憶されているアドレスと合致すれば（＃６９でＹＥＳ）、オンスクリーンディスプレイ表示による禁止画像の表示を消去してパレンタル処理を終了し（＃７０）、再び通常再生を行う（＃７１）。一方、＃６３においてパレンタル領域が設定されていない場合、及び＃６４において非許可状態の場合には、映像・音声再生装置１は、全ての領域について通常の再生処理を行う（＃７２）。
【００３９】
【発明の効果】
以上説明したように請求項１の発明によれば、ユーザ側で、デジタルビデオディスクに記録されている任意の映像データ及び音声データをパレンタル処理の対象として設定することができるので、デジタルビデオディスクにパレンタルデータが設けられていない場合でも、ユーザ側で、暴力的シーンや乱暴な言葉遣いのシーン等の子供等にとって有害なシーンを視聴させないようにパレンタル管理を行うことができる。また、パレンタル処理の実行の許可／非許可状態を設定することができるので、視聴する者に応じてパレンタル処理を実行させたり実行させなかったりといったパレンタル管理もできる。
【００４０】
また、請求項２の発明によれば、ユーザ側で、記録媒体に記録されている任意の映像データ及び音声データをパレンタル処理の対象として設定することができるので、記録媒体にパレンタルデータが設けられていない場合でも、ユーザ側で、暴力的シーンや乱暴な言葉遣いのシーン等の子供等にとって有害なシーンを視聴させないようにパレンタル管理を行うことができる。
【００４１】
また、請求項３の発明によれば、ユーザ側で、視聴する者に応じてパレンタル処理を実行させたり実行させなかったりといったパレンタル管理を行うことができる。
【００４２】
また、請求項４の発明によれば、１枚のデジタルビデオディスクに複数のストーリの映像及び音声データが記録されている場合には、複数のレベルのパレンタル領域を設定することができる。
【００４３】
また、請求項５の発明によれば、一度パレンタル処理の設定を行うと、その設定は電源を切った後でも有効なまま維持されるので、一度パレンタル処理の設定を行うだけで、いつまでもパレンタル管理を行うことができる。
【００４４】
また、請求項６の発明によれば、パレンタル処理の対象となる領域をスキップすることによりパレンタル処理が行われるので、視聴者は、パレンタル処理が行われている間待つ必要がなく、パレンタル処理後の続きの映像及び音声をすぐに視聴することができる。
【００４５】
また、請求項７の発明によれば、パレンタル処理の対象となる領域の再生映像が禁止画像により隠されることによりパレンタル処理が行われるので、視聴者は、パレンタル処理が行われていることを確認することができ、パレンタル処理による不意な映像の跳びや非表示に対する違和感を感じることがない。
【図面の簡単な説明】
【図１】  本発明の一実施形態による映像・音声再生装置の概略構成を示したブロック図。
【図２】  同装置のリモコンの構成を示した図。
【図３】  同装置のパレンタル処理を説明した図。
【図４】  同装置のパレンタル領域の設定操作の流れを示したフローチャート。
【図５】  同装置のパレンタル処理の実行の許可／非許可の設定操作の流れを示したフローチャート。
【図６】  同装置のパレンタル処理の流れを示したフローチャート。
【図７】  同装置のパレンタル処理の流れを示したフローチャート。
【符号の説明】
１  映像・音声再生装置
２  リモコン（操作手段）
５  ドライバ（読取手段）
６  デジタルビデオディスク（記録媒体）
７  デコーダ（復号手段）
８  ＯＳＤ回路（オンスクリーン出力手段）
９  Ｅ２ＰＲＯＭ（不揮発性メモリ、記憶手段）
１０  ＣＰＵ（パレンタルデータ設定手段、パレンタル実行設定手段、制御手段）
１１  ディスプレイ（表示手段）
１２  スピーカ（音声出力手段）
【図１】
0003669432.tif 000002
【図２】
0003669432.tif 000003
【図３】
0003669432.tif 000004
【図４】
0003669432.tif 000005
【図５】
0003669432.tif 000006
【図６】
0003669432.tif 000007
【図７】
0003669432.tif 000008